【手続補正書】
【提出日】平成29年10月18日(2017.10.18)
【手続補正１】
【補正対象書類名】特許請求の範囲
【補正対象項目名】全文
【補正方法】変更
【補正の内容】
【特許請求の範囲】
【請求項１】
第１のプロトコルによって通信する第１のワイヤレスデバイスと第２のプロトコルによって通信する第２のワイヤレスデバイスとを含むワイヤレス通信システムにおけるワイヤレス通信の方法であって、
特定のプロトコルに従う特定の第２の通信のみがその間に許可される、専用プロトコル間隔（ＤＰＩ）を告知する第１の通信を受信することと、
受信された前記第１の通信に基づいて、前記第２のプロトコルに従う通信のための第１の時間間隔を決定することと、
第１のプロトコルに従って、前記第１の時間間隔の間に通信の受信を少なくとも部分的に保護するための通信を送信することと
を備える方法。
【請求項２】
前記第１の時間間隔の間に通信の受信を少なくとも部分的に保護するための通信を再送信する前に、特定の時間間隔を待機することをさらに備える、請求項１に記載の方法。
【請求項３】
前記特定の時間間隔は、コンテンションウィンドウフレーム間スペース（ＣＩＦＳ）を備える、請求項２に記載の方法。
【請求項４】
前記第１のプロトコルに従って、前記第１の時間間隔の間に別の通信を送信することをさらに備える、請求項１に記載の方法。
【請求項５】
前記第１の通信の受信の後、前記第１の時間間隔の間に通信の受信を少なくとも部分的に保護するための通信を送信する前に、特定の時間間隔を待機することをさらに備える、請求項１に記載の方法。
【請求項６】
前記特定の時間間隔は、ショートフレーム間スペース（ＳＩＦＳ）よりも短い、請求項５に記載の方法。
【請求項７】
前記第１の時間間隔の間に通信の受信を少なくとも部分的に保護するための通信は、送信可メッセージ中の持続時間フィールドに従って関連するネットワーク割振りベクトルを更新しないよう命令するものとして第２のデバイスによって識別可能であり、第１のデバイスが前記持続時間フィールドに従って関連するネットワーク割振りベクトルを更新するよう命令されるように前記第１のデバイスによって識別可能ではない、特定の媒体アクセス制御（ＭＡＣ）アドレスを備える前記送信可メッセージを備える、請求項１に記載の方法。
【請求項８】
第１のプロトコルによって通信する第１のワイヤレスデバイスと第２のプロトコルによって通信する第２のワイヤレスデバイスとを含むワイヤレス通信システムにおけるワイヤレス通信のための装置であって、
特定のプロトコルに従う特定の第２の通信のみがその間に許可される、専用プロトコル間隔（ＤＰＩ）を告知する第１の通信を受信するための手段と、
受信された前記第１の通信に基づいて、前記第２のプロトコルに従う通信のための第１の時間間隔を決定するための手段と、
第１のプロトコルに従って、前記第１の時間間隔の間に通信の受信を少なくとも部分的に保護するための通信を送信するための手段と
を備える装置。
【請求項９】
前記第１の時間間隔の間に通信の受信を少なくとも部分的に保護するための通信を再送信する前に、特定の時間間隔を待機するための手段をさらに備える、請求項８に記載の装置。
【請求項１０】
前記特定の時間間隔は、コンテンションウィンドウフレーム間スペース（ＣＩＦＳ）を備える、請求項９に記載の装置。
【請求項１１】
前記第１のプロトコルに従って、前記第１の時間間隔の間に別の通信を送信するための手段をさらに備える、請求項８に記載の装置。
【請求項１２】
前記第１の通信の受信の後、前記第１の時間間隔の間に通信の受信を少なくとも部分的に保護するための通信を送信する前に、特定の時間間隔を待機するための手段をさらに備える、請求項８に記載の装置。
【請求項１３】
前記特定の時間間隔は、ショートフレーム間スペース（ＳＩＦＳ）よりも短い、請求項１２に記載の装置。
【請求項１４】
前記第１の時間間隔の間に通信の受信を少なくとも部分的に保護するための通信は、送信可メッセージ中の持続時間フィールドに従って関連するネットワーク割振りベクトルを更新しないよう命令するものとして第２のデバイスによって識別可能であり、第１のデバイスが前記持続時間フィールドに従って関連するネットワーク割振りベクトルを更新するよう命令されるように前記第１のデバイスによって識別可能ではない、特定の媒体アクセス制御（ＭＡＣ）アドレスを備える前記送信可メッセージを備える、請求項８に記載の装置。
【請求項１５】
実行されると、コンピュータに、請求項１乃至請求項７のいずれか１項に記載の方法を行わせるコードを備えるコンピュータ可読媒体。
【手続補正２】
【補正対象書類名】明細書
【補正対象項目名】０１４４
【補正方法】変更
【補正の内容】
【０１４４】
[00160]上記は本開示の態様を対象とするが、本開示の他の態様およびさらなる態様は、その基本的範囲から逸脱することなく考案され得、その範囲は以下の特許請求の範囲によって決定される。
以下に、本願の出願当初の特許請求の範囲に記載された発明が付記される。 
［１］レガシーデバイスと高効率ワイヤレス（ＨＥＷ）デバイスとを含むＩＥＥＥ８０２．１１ワイヤレス通信システムにおけるワイヤレス通信の方法であって、第２の通信を告知する第１の通信を受信することと、ＨＥＷプロトコルに従う通信のための第１の時間間隔を決定することと、レガシープロトコルに従って、前記第１の時間間隔の間に通信の受信を少なくとも部分的に保護するための前記第２の通信を送信することとを備える方法。
［２］前記第２の通信を再送信する前に、第２の時間間隔を待機することをさらに備える、［１］に記載の方法。
［３］前記第２の時間間隔は、コンテンションウィンドウフレーム間スペース（ＣＩＦＳ）を備える、［２］に記載の方法。
［４］前記レガシープロトコルに従って、前記第１の時間間隔の間に第３の通信を送信することをさらに備える、［１］に記載の方法。
［５］前記第１の通信の受信の後、前記第２の通信を送信する前に、第２の時間間隔を待機することをさらに備える、［１］に記載の方法。
［６］前記第２の時間間隔は、ショートフレーム間スペース（ＳＩＦＳ）よりも短い、［５］に記載の方法。
［７］前記第２の通信は、送信可メッセージ中の持続時間フィールドに従って関連するネットワーク割振りベクトルを更新しないよう命令するものとして前記ＨＥＷデバイスによって識別可能であり、前記レガシーデバイスが前記持続時間フィールドに従って関連するネットワーク割振りベクトルを更新するよう命令されるように前記レガシーデバイスによって識別可能ではない、特定の媒体アクセス制御（ＭＡＣ）アドレスを備える前記送信可メッセージを備える、［１］に記載の方法。
［８］レガシーデバイスと高効率ワイヤレス（ＨＥＷ）デバイスとを含むＩＥＥＥ８０２．１１ワイヤレス通信システムにおいて通信するように構成された装置であって、第２の通信を告知する第１の通信を受信するように構成された受信機と、ＨＥＷプロトコルに従う通信のための第１の時間間隔を決定するように構成されたプロセッサと、レガシープロトコルに従って、前記第１の時間間隔の間に通信の受信を少なくとも部分的に保護するための前記第２の通信を送信するように構成された送信機とを備える装置。
［９］前記プロセッサは、前記送信機に前記第２の通信を再送信させる前に、第２の時間間隔を待機するようにさらに構成される、［８］に記載の装置。
［１０］前記第２の時間間隔は、コンテンションウィンドウフレーム間スペース（ＣＩＦＳ）を備える、［９］に記載の装置。
［１１］前記送信機は、前記レガシープロトコルに従って、前記第１の時間間隔の間に第３の通信を送信するようにさらに構成される、［８］に記載の装置。
［１２］前記送信機は、前記第１の通信の受信の後、前記第２の通信を送信する前に、第２の時間間隔を待機するようにさらに構成される、［８］に記載の装置。
［１３］前記第２の時間間隔は、ショートフレーム間スペース（ＳＩＦＳ）よりも短い、［１２］に記載の装置。
［１４］前記第２の通信は、送信可メッセージ中の持続時間フィールドに従って関連するネットワーク割振りベクトルを更新しないよう命令するものとして前記ＨＥＷデバイスによって識別可能であり、前記レガシーデバイスが前記持続時間フィールドに従って関連するネットワーク割振りベクトルを更新するよう命令されるように前記レガシーデバイスによって識別可能ではない、特定の媒体アクセス制御（ＭＡＣ）アドレスを備える前記送信可メッセージを備える、［８］に記載の装置。
［１５］レガシーデバイスと高効率ワイヤレス（ＨＥＷ）デバイスとを含むＩＥＥＥ８０２．１１ワイヤレス通信システムにおけるワイヤレス通信のための装置であって、第２の通信を告知する第１の通信を受信するための手段と、ＨＥＷプロトコルに従う通信のための第１の時間間隔を決定するための手段と、レガシープロトコルに従って、前記第１の時間間隔の間に通信の受信を少なくとも部分的に保護するための前記第２の通信を送信するための手段とを備える装置。
［１６］前記第２の通信を再送信する前に、第２の時間間隔を待機するための手段をさらに備える、［１５］に記載の装置。
［１７］前記第２の時間間隔は、コンテンションウィンドウフレーム間スペース（ＣＩＦＳ）を備える、［１６］に記載の装置。
［１８］前記レガシープロトコルに従って、前記第１の時間間隔の間に第３の通信を送信するための手段をさらに備える、［１５］に記載の装置。
［１９］前記第１の通信の受信の後、前記第２の通信を送信する前に、第２の時間間隔を待機するための手段をさらに備える、［１５］に記載の装置。
［２０］前記第２の時間間隔は、ショートフレーム間スペース（ＳＩＦＳ）よりも短い、［１９］に記載の装置。
［２１］前記第２の通信は、送信可メッセージ中の持続時間フィールドに従って関連するネットワーク割振りベクトルを更新しないよう命令するものとして前記ＨＥＷデバイスによって識別可能であり、前記レガシーデバイスが前記持続時間フィールドに従って関連するネットワーク割振りベクトルを更新するよう命令されるように前記レガシーデバイスによって識別可能ではない、特定の媒体アクセス制御（ＭＡＣ）アドレスを備える前記送信可メッセージを備える、［１５］に記載の装置。
［２２］実行されると、装置に、レガシーデバイスと高効率ワイヤレス（ＨＥＷ）デバイスとを含むＩＥＥＥ８０２．１１ワイヤレス通信システムにおいて第２の通信を告知する第１の通信を受信させ、ＨＥＷプロトコルに従う通信のための第１の時間間隔を決定させ、レガシープロトコルに従って、前記第１の時間間隔の間に通信の受信を少なくとも部分的に保護するための前記第２の通信を送信させるコードを備える非一時的コンピュータ可読媒体。
［２３］実行されると、前記装置に、前記第２の通信を再送信する前に、第２の時間間隔を待機させるコードをさらに備える、［２２］に記載の媒体。
［２４］前記第２の時間間隔は、コンテンションウィンドウフレーム間スペース（ＣＩＦＳ）を備える、［２３］に記載の媒体。
［２５］実行されると、前記装置に、前記レガシープロトコルに従って、前記第１の時間間隔の間に第３の通信を送信させるコードをさらに備える、［２２］に記載の媒体。
［２６］実行されると、前記装置に、前記第１の通信の受信の後、前記第２の通信を送信する前に、第２の時間間隔を待機させるコードをさらに備える、［２２］に記載の媒体。
［２７］前記第２の時間間隔は、ショートフレーム間スペース（ＳＩＦＳ）よりも短い、［２６］に記載の媒体。
［２８］前記第２の通信が、送信可メッセージ中の持続時間フィールドに従って関連するネットワーク割振りベクトルを更新しないよう命令するものとして前記ＨＥＷデバイスによって識別可能であり、前記レガシーデバイスが前記持続時間フィールドに従って関連するネットワーク割振りベクトルを更新するよう命令されるように前記レガシーデバイスによって識別可能ではない、特定の媒体アクセス制御（ＭＡＣ）アドレスを備える前記送信可メッセージを備える、［２２］に記載の媒体。